(57)【要約】【課題】簡易な構成で、高品位・複雑な文字の表示ができ、また、同一画面上にスタイル自由なタリー情報も表示でき、さらに、ＰｏＥ電源を採用できることから、個別電源を必要とせず、部品入手性改善やコスト削減が可能となるＩＤ表示器及び映像情報表示システムを提供する。【解決手段】映像情報表示システム４０を、外部機器群１２と、それらから送信される信号に応じて表示を行う液晶パネル１４を具備するＩＤ表示器１２を有し、ＩＤ表示器１２は、ＰｏＥハブ１６を介して、外部機器群１２と、イーサネット（登録商標）１８により接続されているとともに、ＰｏＥハブ１６から必要な電力を受電し、外部機器群１２は、液晶パネル１４にタリー情報を表示させるタリープロセス装置２０と、タリー情報の表示パターンを指定し、且つ、液晶パネル１４にＩＤ情報を表示させるシステム設定用コンピュータ２２とからなるものとした。【選択図】図２
2020068496.tif 000002
【特許請求の範囲】
【請求項１】
外部機器群から送信される信号に応じて所定の表示を行うＩＤ表示器であって、
前記ＩＤ表示器は、液晶パネルを具備し、且つ、給電機器であるＰｏＥハブを介して、前記外部機器群と、イーサネット（登録商標）により接続されているとともに、前記ＰｏＥハブから必要な電力を受電するもので、
前記外部機器群は、前記ＩＤ表示器に対し、タリー情報を表示させるタリー信号を送信可能とするタリープロセス装置と、前記ＩＤ表示器に対し、予め設定されたＩＤ情報を表示させる信号を送信可能とするシステム設定用コンピュータであり、
前記液晶パネルは、前記タリープロセス装置から、所定のタイミングで送信されるタリー信号に応じたタリー情報と、前記システム設定用コンピュータから送信される予め設定されたＩＤ情報とを、それぞれ同一画面上で表示可能に構成されていることを特徴とするＩＤ表示器。
【請求項２】
前記ＩＤ表示器は、当該ＩＤ表示器の設定を行うための設定用ボタンが設けられており、当該設定用ボタンを操作することで、前記液晶パネルの画面上で、前記ＩＤ表示器の設定項目を選択し、さらに、その選択した設定項目の実施が行えるよう構成されていることを特徴とする請求項１記載のＩＤ表示器。
【請求項３】
前記ＩＤ表示器は、ＳＤカードスロットを有しており、当該ＳＤカードスロットに対し、前記ＩＤ表示器のファームウェア及び設定項目データを記憶させたＳＤカードを挿入することにより、前記ＩＤ表示器のファームウェアの更新と、前記設定項目の変更を行うことができるようになっていることを特徴とする請求項２記載のＩＤ表示器。
【請求項４】
前記液晶パネルは、表示する前記ＩＤ情報の文字サイズ及び文字間隔の設定変更により、前記ＩＤ情報の複数行での表示が可能となっていることを特徴とする請求項１〜３何れか１項記載のＩＤ表示器。
【請求項５】
前記液晶パネルは、前記タリー情報及び前記ＩＤ情報のそれぞれの表示において、輝度を調整することができるよう構成されていることを特徴とする請求項１〜４何れか１項記載のＩＤ表示器。
【請求項６】
外部機器群と、当該外部機器群から送信される信号に応じて所定の表示を行う液晶パネルを具備するＩＤ表示器と、を有し、
前記ＩＤ表示器は、給電機器であるＰｏＥハブを介して、前記外部機器群と、イーサネット（登録商標）により接続されているとともに、前記ＰｏＥハブから必要な電力を受電するもので、
前記外部機器群は、前記液晶パネルの所定位置に所定のタイミングでタリー情報を表示させるタリー信号を送信するタリープロセス装置と、予め設定された前記タリー情報の表示パターンを指定し、且つ、前記液晶パネルの所定位置に、予め設定されたＩＤ情報を表示させる信号を送信するシステム設定用コンピュータとからなるものであることを特徴とする映像情報表示システム。
【請求項７】
前記タリープロセス装置は、イーサネット（登録商標）を通じてスイッチャと接続されており、当該スイッチャに連動した所定のタイミングで、前記タリー情報を前記液晶パネルに表示させるものであることを特徴とする請求項６記載の映像情報表示システム。
【請求項８】
前記システム設定用コンピュータは、前記タリー情報の表示パターンを複数設定可能であることを特徴とする請求項６又は７記載の映像情報表示システム。
【請求項９】
前記ＩＤ表示器は、ＳＤカードスロットを有しており、当該ＳＤカードスロットに対し、前記ＩＤ表示器のファームウェア及び設定項目データを記憶させたＳＤカードを挿入することにより、前記ＩＤ表示器のファームウェアの更新と、前記設定項目の変更を行うことができるようになっていることを特徴とする請求項６〜８何れか１項記載の映像情報表示システム。
【発明の詳細な説明】
【技術分野】
【０００１】
本発明は、モニター棚などに設置し、映像の素材名称等のＩＤ情報の表示や、タリー情報の表示を行うＩＤ表示器及び映像情報表示システムに関するものである。
【背景技術】
【０００２】
従来から、映像の素材名称等のＩＤ情報の表示や、タリー情報の表示を行う表示器５４には、例えば、図６に示すように、ドットマトリックスＬＥＤモジュール５０を組み合わせてＩＤ情報を表示させ、さらに、別の箇所（例えば、下部）に配置した別ＬＥＤモジュール５２によって、タリー情報を表示させるといったものが用いられている。また、液晶表示器にＩＤ情報を表示し、この液晶表示器とは別の箇所に配置した別のモジュールによりタリー情報を表示させるというＩＤ表示器も用いられてきている。
【０００３】
例えば、特許文献１には、入力された漢字コードからフォントデータを生成するフォントデータ生成手段と、格子状に配列したＬＥＤから構成されたドット表示手段によって漢字表示が可能に構成された表示手段と、前記フォントデータに基づいて前記表示手段を駆動することにより前記表示手段に漢字を表示させる駆動手段とを備え、前記フォントデータ生成手段と表示手段と駆動手段とが単一のケースに組み込まれて構成されている、ことを特徴とするディスプレイ装置が開示されている。
【０００４】
また、図７に示すように、従来のＩＤ情報の表示等に用いられるシステム６０では、システム側との制御は、タリープロセス装置６２がメインで稼働し、ＳＳＴパソコン６４（システムセットアップターミナル）は、パソコンアプリでＩＤ表示器６６での表示文字指定や、タリー情報の表示パターンの指定を行う。なお、制御には、ＡＲＣＨＵＢ６８を利用したＡＲＣＮＥＴ（アークネット）が用いられてきている。
【先行技術文献】
【特許文献】
【０００５】
【特許文献１】特開２００３−８７６８７号公報
【発明の概要】
【発明が解決しようとする課題】
【０００６】
しかしながら、従来のドットマトリックスＬＥＤモジュールでＩＤ情報を表示させる表示器では、赤緑青の３色表示でき、また、全点灯で白も表現することができるとはいえ、全角１文字が１６×１６ドットの解像度しかないため、複雑な漢字の表現ができず、また、文字サイズや、文字の位置にも制限が生じてしまう。さらに、タリー情報を表示させる別ＬＥＤモジュールは、例えば、３ブロックに分割されていて、赤緑の発光色による色表示及び両方点灯による橙色の表示が可能ではあるが（合計３色）、タリー情報の表示サイズや、表示位置を変えることはできない。
【０００７】
また、従来の液晶表示器を用いた表示器では、ドットマトリックスＬＥＤモジュールとは違い解像度が高く、漢字文字の表現が可能であるが、タリー情報の表示は、液晶表示器とは別の箇所で行われるため、構造的には構成物が多くなり、大きさやコストの面で問題があると指摘されてきている。また、ＡＲＣＮＥＴを用いた制御では、同軸カスケード接続の場合、それぞれの機器に、個別外部電源（ＡＣ／ＤＣアダプタ）が必要となり、システム構成上煩雑なものとなってしまう。
【０００８】
本発明は、上述の課題を解決するためのもので、簡易な構成で、高品位・複雑な文字の表示ができ、また、同一画面上にスタイル自由なタリー情報も表示でき、さらに、ＰｏＥ電源を採用できることから、個別電源を必要とせず、部品入手性改善やコスト削減が可能となるＩＤ表示器及び映像情報表示システムを提供することにある。
【課題を解決するための手段】
【０００９】
上述の課題に対応するため、本発明は、以下の技術的手段を講じている。
即ち、請求項１記載の発明は、外部機器群から送信される信号に応じて所定の表示を行うＩＤ表示器であって、前記ＩＤ表示器は、液晶パネルを具備し、且つ、給電機器であるＰｏＥハブを介して、前記外部機器群と、イーサネット（登録商標）により接続されているとともに、前記ＰｏＥハブから必要な電力を受電するもので、前記外部機器群は、前記ＩＤ表示器に対し、タリー情報を表示させるタリー信号を送信可能とするタリープロセス装置と、前記ＩＤ表示器に対し、予め設定されたＩＤ情報を表示させる信号を送信可能とするシステム設定用コンピュータであり、前記液晶パネルは、前記タリープロセス装置から、所定のタイミングで送信されるタリー信号に応じたタリー情報と、前記システム設定用コンピュータから送信される予め設定されたＩＤ情報とを、それぞれ同一画面上で表示可能に構成されていることを特徴とするＩＤ表示器である。
【００１０】
また、請求項２記載の発明は、請求項１記載のＩＤ表示器であって、前記ＩＤ表示器は、当該ＩＤ表示器の設定を行うための設定用ボタンが設けられており、当該設定用ボタンを操作することで、前記液晶パネルの画面上で、前記ＩＤ表示器の設定項目を選択し、さらに、その選択した設定項目の実施が行えるよう構成されていることを特徴としている。
【００１１】
そして、請求項３記載の発明は、請求項１又は２記載のＩＤ表示器であって、前記ＩＤ表示器は、ＳＤカードスロットを有しており、当該ＳＤカードスロットに対し、前記ＩＤ表示器のファームウェア及び設定項目データを記憶させたＳＤカードを挿入することにより、前記ＩＤ表示器のファームウェアの更新と、前記設定項目の変更を行うことができるようになっていることを特徴としている。
【００１２】
また、請求項４記載の発明は、請求項１〜３何れか１項記載のＩＤ表示器であって、前記液晶パネルは、表示する前記ＩＤ情報の文字サイズ及び文字間隔の設定変更により、前記ＩＤ情報の複数行での表示が可能となっていることを特徴としている。そして、請求項５記載の発明は、請求項１〜４何れか１項記載のＩＤ表示器であって、前記液晶パネルは、前記タリー情報及び前記ＩＤ情報のそれぞれの表示において、輝度を調整することができるよう構成されていることを特徴としている。
【００１３】
またさらに、請求項６記載の発明は、外部機器群と、当該外部機器群から送信される信号に応じて所定の表示を行う液晶パネルを具備するＩＤ表示器と、を有し、前記ＩＤ表示器は、給電機器であるＰｏＥハブを介して、前記外部機器群と、イーサネット（登録商標）により接続されているとともに、前記ＰｏＥハブから必要な電力を受電するもので、前記外部機器群は、前記液晶パネルの所定位置に所定のタイミングでタリー情報を表示させるタリー信号を送信するタリープロセス装置と、予め設定された前記タリー情報の表示パターンを指定し、且つ、前記液晶パネルの所定位置に、予め設定されたＩＤ情報を表示させる信号を送信するシステム設定用コンピュータとからなるものであることを特徴とする映像情報表示システムである。
【００１４】
そして、請求項７記載の発明は、請求項６記載の映像情報表示システムであって、前記タリープロセス装置は、イーサネット（登録商標）を通じてスイッチャと接続されており、当該スイッチャに連動した所定のタイミングで、前記タリー情報を前記液晶パネルに表示させるものであることを特徴している。さらに、請求項８記載の発明は、請求項６又は７記載の映像情報表示システムであって、前記システム設定用コンピュータは、前記タリー情報の表示パターンを複数設定可能であることを特徴としている。
【００１５】
さらに、請求項９記載の発明は、請求項６〜８何れか１項記載の映像情報表示システムであって、前記ＩＤ表示器は、ＳＤカードスロットを有しており、当該ＳＤカードスロットに対し、前記ＩＤ表示器のファームウェア及び設定項目データを記憶させたＳＤカードを挿入することにより、前記ＩＤ表示器のファームウェアの更新と、前記設定項目の変更を行うことができるようになっていることを特徴としている。
【発明の効果】
【００１６】
本発明によれば、液晶パネルにＩＤ情報を表示することができるため、文字解像度が高く、また、複雑な文字でも表示することが可能である。さらに、タリー情報を液晶パネルに表示することができるため、自由なタリー情報の表示パターンを構成することが可能となる。
【００１７】
また、本発明によれば、ＰｏＥ電源を採用するため、個別電源が不要となり、さらに、一般的なイーサネット（登録商標）を採用することから、部品入手性の改善や、コスト削減を実現させることができる。またさらに、イーサネット（登録商標）を採用することで、ＰＣ（システム設定用コンピュータ等）との親和性が向上し、通信速度も改善される。
【図面の簡単な説明】
【００１８】
【図１】本発明に係るＩＤ表示器の実施形態を示した図で、（ａ）は正面図、（ｂ）は平面図、（ｃ）は左側面図を表している。
【図２】本発明に係るＩＤ表示器の実施形態におけるネットワーク制御系統を示した概略図である。
【図３】本発明に係るＩＤ表示器の実施形態において、液晶パネルにＩＤ情報及びタリー情報を表示させた状態を示す一例図である。
【図４】本発明に係るＩＤ表示器の実施形態において、液晶パネル上で設定項目（メニュー）を選択する状態を示す一例図である。
【図５】本発明に係るＩＤ表示器及び映像情報表示システムの実施形態を含む放送システム全体の制御系統を示した概略図である。
【図６】従来のＩＤ表示器の一例を示した正面図である。
【図７】従来のＩＤ表示器におけるネットワーク制御系統を示した概略図である。
【発明を実施するための形態】
【００１９】
本発明に係るＩＤ表示器及び映像情報表示システムの実施形態について、図面を参照しながら説明する。図１は、本発明に係るＩＤ表示器の実施形態を示したもので、（ａ）は正面図、（ｂ）は平面図、（ｃ）は左側面図であり、図２は、本発明に係るＩＤ表示器の実施形態におけるネットワーク制御系統を示した概略図である。
【００２０】
そして、図３は、本発明に係るＩＤ表示器の実施形態において、液晶パネルにＩＤ情報及びタリー情報を表示させた状態を示す一例図で、図４は、本発明に係るＩＤ表示器の実施形態において、液晶パネル上で設定項目（メニュー）を選択する状態を示す一例図である。さらに、図５は、本発明に係るＩＤ表示器及び映像情報表示システムの実施形態を含む放送システム全体の制御系統を示した概略図である。
【００２１】
そして、符号については、１０がＩＤ表示器、１２が外部機器群、１４が液晶パネル、１６がＰｏＥハブ、１８がイーサネット（登録商標）、２０がタリープロセス装置、２２がシステム設定用コンピュータ、２４が設定用ボタン、２８がＳＤカードスロット、２９がＵＳＢコネクタ、３０がスイッチャ、３２がルーター、３４が周辺棚板、３６がルーターリモコン、３８がＬＡＮケーブル挿入口、４０が映像情報表示システムを示している。
【００２２】
まず、本実施形態におけるＩＤ表示器１０は、図１、２、５に示すように、外部機器群１２から送信される信号に応じて所定の表示を行うものであって、ＩＤ表示器１０は、液晶パネル１４を具備し、且つ、給電機器であるＰｏＥハブ１６を介して、外部機器群１２と、イーサネット（登録商標）１８により接続されているとともに、ＰｏＥハブ１６から必要な電力を受電するものである。なお、ＩＤ表示器１０は、図１（ｃ）に示すＬＡＮケーブル挿入口３８に、ＰｏＥハブ１６に接続されるＬＡＮケーブルを挿入し、通信及び受電可能な構成をとる。
【００２３】
さらに、外部機器群１２は、ＩＤ表示器１０に対し、タリー情報を表示させるタリー信号を送信可能とするタリープロセス装置２０と、ＩＤ表示器１０に対し、予め設定されたＩＤ情報を表示させる信号を送信可能とするシステム設定用コンピュータ２２であり、液晶パネル１４は、タリープロセス装置２０から、所定のタイミングで送信されるタリー信号に応じたタリー情報と、システム設定用コンピュータ２２から送信される予め設定されたＩＤ情報とを、それぞれ同一画面上で表示可能に構成されている。
【００２４】
次に、本実施形態における映像情報表示システム４０は、図５に示すように、外部機器群１２と、外部機器群１２から送信される信号に応じて所定の表示を行う液晶パネル１４を具備するＩＤ表示器１０とを有し、ＩＤ表示器１０は、給電機器であるＰｏＥハブ１６を介して、外部機器群１２と、イーサネット（登録商標）１８により接続されているとともに、ＰｏＥハブ１８から必要な電力を受電するもので、外部機器群１２は、液晶パネル１４の所定位置に所定のタイミングでタリー情報を表示させるタリー信号を送信するタリープロセス装置２０と、予め設定されたタリー情報の表示パターンを指定し、且つ、液晶パネル１４の所定位置に、予め設定されたＩＤ情報を表示させる信号を送信するシステム設定用コンピュータ２２（図５中、ＳＳＴパソコン）とからなるものである。
【００２５】
続いて、本実施形態におけるＩＤ表示器１０と、映像情報表示システム４０について、詳細に説明していく。まず、本実施形態における映像情報表示システム４０は、図５に示すように、外部機器群１２と、外部機器群１２から送信される信号に応じて所定の表示を行う液晶パネル１４を具備する本実施形態におけるＩＤ表示器１０とを有するもので、相互に、ＰｏＥハブ１６を介して、イーサネット（登録商標）１８により接続されている。
【００２６】
なお、ＰｏＥハブ１６は、給電機器であることから、ＩＤ表示器１０は、個別に電源を設けることなく、ＰｏＥハブ１６から受電することができる。そのため、ＩＤ表示器１０自体の構成がより簡易なものとなり、小型化を実現することができる。また、電源と制御含めてケーブル１本で接続することができるため、システム構成の簡易化が図れる。さらに、イーサネット（登録商標）１８を採用することで、部品入手性の改善や、コスト削減、さらに、ＰＣ（システム設定用コンピュータ等）との親和性が向上し、通信速度も改善される。
【００２７】
また、外部機器群１２は、図５に示すように、液晶パネルの所定位置に所定のタイミングでタリー情報を表示させるタリー信号を送信するタリープロセス装置２０と、予め設定されたタリー情報の液晶パネル１４における表示パターンを指定し、且つ、液晶パネル１４の所定位置に、予め設定されたＩＤ情報を表示させる信号を送信するシステム設定用コンピュータ２２とからなっている。
【００２８】
また、図５に示すように、本実施形態における映像情報表示システム４０は、イーサネット（登録商標）１８を通じて、それぞれ、映像切替を行うスイッチャ３０や、ルーター３２、周辺棚板３４に収納されている周辺機器（図示せず）、さらに、ルーターリモコン３６が接続されている。ただし、この構成は、本発明を限定するものではない。
【００２９】
続いて、本実施形態におけるＩＤ表示器１０は、上記の通り、外部機器群１２から送信される信号に応じて所定の表示を行う液晶パネル１４を具備するもので、タリープロセス装置２０から、所定のタイミングで送信されるタリー信号に応じたタリー情報と、システム設定用コンピュータ２２から送信される予め設定されたＩＤ情報とを、それぞれ同一画面上で表示可能に構成されている。
【００３０】
このように構成されているため、液晶パネルにＩＤ情報の高品位な表示をすることができ、また、漢字、全角英数字、半角英数字など、全角ＪＩＳ第１、第２水準及び半角ＪＩＳ８コードの文字も表示することが可能である。さらに、タリー情報をＩＤ情報と液晶パネル１４の同一画面で表示することができるため、図３に示すような、自由なタリー情報の表示パターンを構成することが可能となる。
【００３１】
例えば、図３（ａ）は、液晶パネル１４の下部にタリー情報（左から、Ｒ／Ｇ／Ｙ色で区分け）、そして、上部に漢字とひらがなを組み合わせた素材情報を表示させている。また、（ｂ）は、液晶パネル１４の左右にそれぞれタリー情報（左がＲ色、右がＧ色）で、それに挟まれた領域に英文字と数字を組み合わせた素材情報を表示させている。さらに、（ｃ）は、液晶パネル１４の下部にタリー情報（Ｒ色またはＧ色）、上部に漢字とカタカナを組み合わせた素材情報を表示させている。
【００３２】
またさらに、図３（ｄ）は、液晶パネル１４の上部にタリー情報（左がＧ色、右がＲ色）、下部に英文字と数字を組み合わせた素材情報を表示させている。なお、図中、液晶パネル１４上の素材情報を表示させている文字は、白色の背景に黒文字となっているが、黒色の背景に白文字で表示するように構成しても構わない。また、本パターンは、単なる一例であるため、これらが本発明を限定することはない。
【００３３】
つまり、システム設定用コンピュータ２２と、タリープロセス装置２０を組み合わせ、予め設定登録した素材名称（ＩＤ情報）と、スイッチャ３０に連動したシステムタリー情報をリアルタイムに表示することができる。
【００３４】
続いて、図５に示すように、ＩＤ表示器１０は、素材モニタ（図示せず）の上にそれぞれ配置する装置で、具備する液晶パネル１４に素材名称（ＩＤ情報）とタリー情報を表示させるものである。ここで、タリー情報とは、どの素材がオンエアーしているかを示すランプで、スタジオカメラの上にランプ（例えば、赤色）が付いていて、演者は、そのカメラに向かって話をするようになっている。
【００３５】
一方、サブ調整室内では、複数の素材モニタがあり、そのモニタの上にそれぞれ配置する本実施形態のＩＤ表示器１０の液晶パネル１４に、タリー情報を表示（点灯）させることができるようになっている。なお、素材モニタには、カメラ映像、ＶＴＲ映像、お天気カメラ、別回線で送られてきた外部映像などが映し出されるものである。
【００３６】
システムの制御は、まず、タリープロセス装置２０が、スタジオ機器のスイッチャ３０や、ルーター３２、周辺機器から、今どのカメラの素材を撮影しているか等の情報を集め、その情報を元に該当する素材モニタ上に配置されたＩＤ表示器１０の液晶パネル１４にタリー情報を表示（点灯）させる。
【００３７】
一方、ＩＤ情報（素材名称）は、システム設定用のアプリケーションをインストールしたシステム設定用コンピュータ２２を使用し設定する。これは、例えば、番組前に一度作成し、放送中に変更することはしない。通常は、番組に応じて、予めプリセットデータを作成しておき、それを利用する。
【００３８】
続いて、本実施形態におけるＩＤ表示器１０は、図１（ａ）、（ｂ）に示すように、ＩＤ表示器１０の設定を行うための設定用ボタン２４が設けられており、この設定用ボタン２４を操作することで、図４に示すように、液晶パネル１４の画面上で、ＩＤ表示器１０の設定項目（メニュー項目）を選択し、さらに、その選択した設定項目の実施が行えるようになっている。
【００３９】
また、例えば、設定用ボタン２４の、例えば、「ＭＥＮＵ」を押下すると、液晶パネル１４が初期設定画面（設定項目の選択画面に推移）になるようにプログラムしておくのが好ましい。なお、図４のメニュー項目の選択画面は、単なる一例であり、本発明を限定するものではない。ここで、メニュー項目は、例えば、イーサネット（登録商標）１８上のＩＰアドレス設定、液晶パネル１４表示文字サイズ設定、表示文字間隔設定、表示文字色設定、タリー情報表示エリアの色指定、表示文字スクロール速度等々の選択ができるようにしておくのがシステム運用上有効である。
【００４０】
さらに、本実施形態におけるＩＤ表示器１０は、図１（ｂ）に示すように、ＳＤカードスロット２８を有しており、このＳＤカードスロット２８に、ＩＤ表示器１０のファームウェア及び上記の設定項目（メニュー項目）を記憶させたＳＤカードを挿入することにより、ＩＤ表示器１０のファームウェアの更新と、設定項目（メニュー項目）の変更を行うことができるようになっている。
【００４１】
また、本実施形態における映像情報表示システム４０も、このＩＤ表示器１０を有しているものであるため、同様に、ＩＤ表示器１０のファームウェアの更新と、設定項目（メニュー項目）の変更をＳＤカードによって行うことができる。さらに、本実施形態では、図１（ｂ）に示すように、ＵＳＢコネクタ２９が設けられており、これを通じて外部ＰＣを接続し、ＩＤ表示器１０の初期ファイル書込や、プログラム変更等のメンテナンスを行えるようになっている。
【００４２】
続いて、本実施形態におけるＩＤ表示器１０では、上記設定項目（メニュー項目）にあるように、液晶パネル１４に表示させるＩＤ情報の文字サイズ及び文字間隔の設定を行うことで、ＩＤ情報を液晶パネル１４上に複数行で表示させることができるようになっている。また、液晶パネル１４に表示させるＩＤ情報及びタリー情報の輝度を調整することができるように構成するのが好ましい。
【００４３】
また、本実施形態における映像情報表示システム４０では、システム設定用コンピュータ２２は、ＩＤ表示器１０の液晶パネル１４に表示させるタリー情報の表示パターンを予め複数設定可能とし、これにより、例えば、図３に示すように、スタイル自由なタリー情報を液晶パネル１４に表示させることができるようになっている。
【産業上の利用可能性】
【００４４】
本発明は、高品位・複雑な文字、また、同一画面上にスタイル自由なタリー情報も表示でき、さらに、個別電源を必要としないため、部品入手性改善やコスト削減を図りつつ、多種多様なＩＤ情報及びタリー情報を表示させる必要がある環境で好適に用いることができる。
【符号の説明】
【００４５】
１０  ＩＤ表示器
１２  外部機器群
１４  液晶パネル
１６  ＰｏＥハブ
１８  イーサネット（登録商標）
２０  タリープロセス装置
２２  システム設定用コンピュータ
２４  設定用ボタン
２８  ＳＤカードスロット
２９  ＵＳＢコネクタ
３０  スイッチャ
３２  ルーター
３４  周辺棚板
３６  ルーターリモコン
３８  ＬＡＮケーブル挿入口
４０  映像情報表示システム
【図１】
2020068496.tif 000003
【図２】
2020068496.tif 000004
【図３】
2020068496.tif 000005
【図４】
2020068496.tif 000006
【図５】
2020068496.tif 000007
【図６】
2020068496.tif 000008
【図７】
2020068496.tif 000009